(57)【要約】【課題】トラブルが少なく、メンテナンスが容易で、円筒の周囲に多量の微細な液体原料の液滴、すなわち霧状の液体原料を得る仕組みを得る。【解決手段】微細な液滴を生ずる薄い液膜を放出する羽根あるいは円筒の切り口を有する高速回転する円筒の内側に、径の異なる複数の円筒を重ねて設けて回転させ、最も内側の円筒の内部に供給する液体原料を、内側の円筒から外側の円筒に液体原料が移動するに従って数を増す円筒壁面に設けられた貫通路を通過させることによって分割を繰返し、適量にして羽根あるいは切り口に分配し供給する。【特許請求の範囲】
【請求項１】
高速回転する円筒の外周に沿って、液膜を放ち微細な液滴を得るための複数の羽根、あるいは液膜を放ち微細な液滴を得るための複数の円筒の切り口を設け、その円筒の内側に径が異なる円筒を幾重にか重ねてこれらの円筒を回転させる。この重ねた円筒の最も内側の円筒に供給する液体原料を、重ねられた円筒の壁面に設けられた貫通路を通ってより外側の円筒に移動するにつれて順次数を増す貫通路に導いて液量を分割し、微細な液滴を得ることができる適量にして前記の羽根あるいは切り口に液体原料を分配し供給して微細な液滴を得る仕組み。
【発明の詳細な説明】
【発明の詳細な説明】
【技術分野】
【０００１】  本発明は、液体原料を他の原料と結合させるために、液体原料を霧化する装置に関するものである。
【背景技術】
【０００２】  霧状にした液体を前方に向けて噴霧する装置や、霧状にした液体を釣鐘状に落下させる装置や、霧状にした液体を円盤状に放出する装置は従来から多くある。また、超音波を用いて液体を霧化させる装置も多い。しかし円筒の周囲に均等に微細な液滴を多量に発生させる装置、すなわち円筒の周囲に多量の液体原料を霧状にして放つ装置で、構造が簡単で、トラブルが少なく、従ってメンテナンスも容易な装置は少ない。
【発明が解決しようとする課題】
【０００３】  回転する円筒の周囲に、必要な程度に微粒子化した液滴すなわち微細な霧を均等に放ち、必要な液量を微粒子化できる性能を有し、かつ微細な霧を得るために羽根や切り口に供給する液体原料を適量に絞り込む手段として、トラブルが生じ易い間隙の小さなスリットを用いたり、微細な孔を用いたりしない仕組みを円筒内に有し、その構造は単純で、従ってトラブルが少なく、メンテナンスが容易な霧化装置を得ること。
【課題を解決するための手段】
【０００４】  高速回転する円筒の外周に沿って、薄い液膜を放って微細な液滴を得るための複数の羽根、あるいは薄い液膜を放って微細な液滴を得るための複数の円筒の切り口を設ける。その羽根全体あるいは切り口全体に適量の液体原料を供給するために、羽根や切り口を設けた円筒の内側に、取外しができる径が異なる円筒を幾重にか重ね回転させる。この重ねた円筒の最も内側の円筒に供給する液体原料が、各円筒の壁面に設けられた貫通路を通ってより外側の円筒の内壁面に移動するにつれて順次数を増す貫通路を通って分割される仕組みによって液体原料の分割を繰返し、それぞれの羽根全体あるいはそれぞれの切り口全体に液体原料を薄い液膜と微細な液滴を得ることができる液量にして分配する。
【発明を実施するための最良の形態】
【０００５】  高速回転する円筒の外周に設けた複数の羽根、あるいは円筒の外周に設けた複数の円筒の切り口から液体原料の薄い液膜を円筒の周囲に放ち液滴化して円筒の周囲に霧状の液体原料を得る。【０００６】  多量の微細な液滴を得るためには、円筒の長さの方向いっぱいに伸びた形状の液膜を放つ羽根、あるいは液膜を放つ切り口を、円筒の外周上にバランスをとって多数設けることが望ましい。【０００７】  外周に設ける液膜を放つ羽根、あるいは液膜を放つ切り口の何れによっても微細な液滴、すなわち霧を得ることができる。しかし両者を比較すれば、羽根を用いる方がより微細な液滴を得ることができる。羽根を用いることによって羽根を離れる直前の液膜に羽根の前面と同じ速度を与えることができるのに対し、切り口から液膜を放出する場合には液膜の速度は円筒の速度に及ばないからである。【０００８】  液膜を放つ羽根あるいは液膜を放つ切り口に適量の液体原料を供給するために、羽根あるいは切り口の回転方向前方の円筒内壁面に次項以下に記す方法によって適量の液体原料を供給する。この円筒内壁面上に供給された液体原料は、円筒の回転にともない羽根の直前に設けた円筒壁を貫く供給口から羽根の前面に供給され羽根の先端から液膜状で放たれる。あるいは円筒の切り口の前縁から液膜状で放たれる。【０００９】  液膜を放つ羽根あるいは液膜を放つ切り口を設けた円筒の内側に、径が異なる複数の円筒を重ね、液膜を放つ羽根あるいは液膜を放つ切り口を設けた円筒と共に回転させる。但し、必ずしも共に回転させなくてもよい。【００１０】  この内側に重ねた各円筒の壁面に液体原料を分割する誘導溝と貫通路を設ける。あるいは内側の円筒の外壁面と外側の円筒の内壁面との間に液体原料が移動できる僅かな間隙を設ける。最も内側の円筒に供給する液体原料が、円筒の回転にともない円筒の壁面に設けられた貫通路を通ってその外側の円筒に移動し、移動した液体原料が、移動した壁面に設けられた複数の貫通路に導かれて液量が分割されてさらに外側の円筒の内壁面に移動する。分割されたそれぞれの液体原料が、その円筒の壁面に設けられた複数の貫通路に導かれてさらに分割される。このようにして分割された液体原料がそれぞれの羽根あるいはそれぞれの切り口の前に位置する円筒内壁面に配分される。各円筒の貫通路や誘導溝はそのような分割と分配がおこなわれるように配列する。【００１１】  このように液体原料が内側の円筒から外側の円筒に貫通路を通って移動する間に数を増す貫通路によって分割を繰返し、最も外側の液膜を放つ羽根あるいは液膜を放つ切り口を設けた円筒の内壁面に到達する段階で薄い液膜と微細な液滴をつくることができる液量を得る。【００１２】  分割を正確におこなう上で、貫通路を通って次の円筒の内壁面に達した液体原料をその円筒の複数の貫通路に導くための液体原料の誘導溝や、他の分割コースの液体原料との混合を避けるための隔壁を内壁面に設けることが有効であるが、誘導溝や隔壁を設けることなく貫通路の配列のみによって分割をおこなうこともできる。【００１３】  分割は２分割ずつおこなう方法が容易であるが、２分割以上の複数分割でもよい。【００１４】  分割は回転の方向に直角をなす方向に分割���ることも、回転の方向に分割することも、また難易の差はあるがその他の方向に分割することもできる。【００１５】  円筒を何層に重ねるかは、液膜を放出させる羽根あるいは切り口の数、羽根や切り口の長さ、分割のさせ方、最終段階で必要とする液量などにより異なる。【００１６】  液膜を放つ羽根あるいは液膜を放つ切り口を設けた円筒と、その内側に設ける液量を分割し分配するための円筒は、必ずしも同一に回転させる必要はない。【００１７】  内部に重ねた円筒を引き抜けば、円筒に設けた貫通路や誘導溝や壁面を容易に清掃することができる。【００１８】  個々の貫通路は、それ自体が液量を調節するための貫通路ではないので、清掃を困難にするような狭い貫通路である必要はない。
【実施例１】
【００１９】  外径５５ｍｍ、長さ１１０ｍｍの円筒の外周に、円筒の長さの方向に伸びた長さ１００ｍｍ、高さ６ｍｍ、底面の幅６ｍｍの、断面が三角形の長い羽根を等間隔に８本設け、その直前に円筒の内壁に通じる幅１ｍｍ、長さ９５ｍｍのスリットを設けた。羽根とスリットを設けた円筒内壁の両端の５ｍｍずつの部分を除く円筒の内壁面が１ミリの間隙を保つようにして、この円筒の内側に厚さ３ｍｍの円筒を４重に重ね合わせて設けた。最も内側の円筒の中央部の周に沿って８つの貫通孔を等間隔に設け、内側から４番目の円筒に、長さの方向に１１ｍｍ間隔に８つの貫通孔を一列に並べて設け、同様の貫通孔の列をこの円筒の周囲に等間隔に８列設けた。この貫通孔の列が、羽根とスリットを設けた円筒内壁の、スリットとスリットの中間の内側に固定されるように両円筒を組み合わせた。内側から２番目、３番目の円筒は、最も内側の円筒に供給された水が２番目の円筒に通じる貫通孔を通った後、２番目の円筒の内壁面に設けた誘導溝によって円筒の長さの方向に２分され、その先にある３番目の円筒に通じる２つの貫通孔を通った後、３番目の円筒の内壁面に設けた誘導溝によって円筒の長さの方向にそれぞれ２分されて４番目の円筒に通じる４つの貫通孔を通った後、４番目の円筒で前記の８つの貫通孔に導かれる構造とした。全ての円筒を毎分９５００回転させて６５ｃｃの水を８秒間で霧化した。これを特願２００３−１４５５３４の装置に用いてドウを１０秒間足らずで得る画期的な成果を得た。
【発明の効果】
【００２０】  本発明は、以上に説明したような形態で実施され、以下に記載されるような効果を奏する。
【００２１】  円筒の外周に沿って液体原料の微細な液滴を発生させる羽根あるいは切り口を数多く設けることができ、しかも数多く設けることが供給される液体原料の液量を分割して羽根あるいは切り口から放つ液膜を薄くし、生じる液滴をより微細にすることを助ける。
【００２２】  円筒の外周に設ける液体原料の微細な液滴を発生させる羽根あるいは切り口を増やすことによって得ることができる液滴の一層の微細化を求めぬときには、羽根あるいは切り口の増加に比例して霧化する液量を増やすことができる。
【００２３】  円筒の外周のほぼ全面から周囲の全方向に液体原料の微細な液滴を放つことができるので、円筒の周囲の広い範囲で他の原料と接触させることができる。
【００２４】  羽根あるいは切り口から放つ液膜を薄くし、生じる液滴を微細なものにするために、羽根あるいは切り口に供給する液量を適量に絞り込む手段として微細な孔や微細なスリットなどを用いることがないので、目詰まりなどの使用中の性能の低下を生じない。
【００２５】  貫通孔や誘導溝を有する液量を絞り込むための円筒は、引き抜けば個々の円筒になるのでメンテナンスが容易である。